(57)【要約】【課題】火力発電所などのプラントにおいて、アンモニア含有排水から効率よくアンモニアを回収できるとともに、アンモニアを回収した後の排水をプラント内で再利用することができるようにする。【解決手段】プラント内で発生するアンモニア含有排水からアンモニアを回収する方法において、アンモニア含有排水からアンモニア濃度を高めた濃縮水とアンモニア濃度が低減されてプラント内で利用可能な透過水とを生成する濃縮工程と、濃縮水からアンモニアを回収する回収工程と、を設ける。【選択図】図１
2019098205.tif 000002
【特許請求の範囲】
【請求項１】
プラント内で発生するアンモニア含有排水からアンモニアを回収する方法であって、
前記アンモニア含有排水からアンモニア濃度を高めた濃縮水とアンモニア濃度が低減されて前記プラント内で利用可能な透過水とを生成する濃縮工程と、
前記濃縮水からアンモニアを回収する回収工程と、
を有する方法。
【請求項２】
前記濃縮工程において、逆浸透法、電気透析法及び電気再生式脱塩法の少なくとも１つの方法によって前記濃縮水と前記透過水とを生成する、請求項１に記載の方法。
【請求項３】
前記回収工程において、膜蒸留及びストリッピングの少なくとも１つの方法によってアンモニアを回収する、請求項１または２に記載の方法。
【請求項４】
前記アンモニア含有排水は、少なくともカチオン交換体の再生排水を含み、
前記回収工程において、アルカリ剤としてアニオン交換体の再生排水を前記濃縮水に添加する、請求項３に記載の方法。
【請求項５】
前記アニオン交換体の再生排水に対して電気透析法を適用して不純物成分を除去し不純物成分が除去された前記再生排水を前記アルカリ剤として前記濃縮水に添加する、請求項４に記載の方法。
【請求項６】
プラント内で発生するアンモニア含有排水からアンモニアを回収するアンモニア回収装置であって、
前記アンモニア含有排水からアンモニア濃度を高めた濃縮水とアンモニア濃度が低減されて前記プラント内で利用可能な透過水とを生成する濃縮手段と、
前記濃縮水からアンモニアを回収する回収手段と、
を有するアンモニア回収装置。
【請求項７】
前記濃縮手段は、逆浸透膜装置、電気透析装置及び電気再生式脱塩装置の少なくとも１つである、請求項６に記載のアンモニア回収装置。
【請求項８】
前記回収手段は、膜蒸留装置及びストリッピング装置の少なくとも１つである、請求項６または７に記載のアンモニア回収装置。
【請求項９】
前記アンモニア含有排水は、少なくともカチオン交換体の再生排水を含み、
前記回収手段において、アルカリ剤としてアニオン交換体の再生排水を前記濃縮水に添加する、請求項８に記載のアンモニア回収装置。
【請求項１０】
前記アニオン交換体の再生排水を処理して不純物成分を除去する電気透析装置をさらに備え、前記電気透析装置によって不純物成分が除去された前記再生排水が前記回収手段において前記アルカリ剤として前記濃縮水に添加される、請求項９に記載のアンモニア回収装置。
【発明の詳細な説明】
【技術分野】
【０００１】
本発明は、火力発電所などのプラントから排出されるアンモニア含有排水からアンモニアを回収する方法及び装置に関する。
【背景技術】
【０００２】
プラントの一例として火力発電所の発電プラントでは、ボイラによって蒸気を発生させ、この蒸気によってタービンを駆動する。タービンを駆動した後の蒸気は復水器に導かれて液体の水となり、イオン交換樹脂などのイオン交換体を有する復水脱塩装置によってその水の中の不純物イオンが除去された後、再度、ボイラに供給される。また、ボイラやタービン、さらにはそれらを接続する配管やポンプの腐食を防止するために、ボイラに供給される水にはアンモニアを添加することが一般的である。このアンモニアは脱塩装置のイオン交換樹脂に捕捉されるから、脱塩装置のイオン交換樹脂の再生を行った場合には、再生排水に多量のアンモニアが含まれることになる。不純物の排出などのためにボイラを循環する水の一部を排出（ブロー）することがあるが、このブロー排水にもアンモニアが含まれている。長期にわたってプラントを停止する場合には、ボイラや配管類での腐食の発生を防ぐため、純水にアンモニアを加えた液（ボイラ保管水と呼ぶ）によりボイラや配管を充填してボイラや配管の保管処理を行うことも多い。保管処理を行ったボイラを再起動する際にはボイラ保管水を排出することになるが、ボイラ保管水にもアンモニアは含まれている。そのほか、プラントでの使用のためにアンモニアを貯えるタンクを設ける場合、このタンクの洗浄排水にもアンモニアが含まれる。
【０００３】
上述のように、例えば火力発電所などのプラントでは種々の理由によりアンモニア含有排水が発生する。アンモニア含有排水は、他の排水と混合希釈して敷地外すなわち公共用水域に放流されたり、アンモニア排水処理装置によって処理してから放流されている。プラントでは、ボイラに循環する水に添加したりボイラ保管水を生成するためにアンモニアが使用されるほか、排ガスの脱硝処理を行う脱硝装置においても還元剤としてアンモニアが使用されている。そこでアンモニア含有排水からアンモニアを回収して利用することが提案されている。例えば特許文献１は、火力発電所から排出されるアンモニア含有排水を空気と接触させてアンモニアを空気中に抽気し、抽気によって得られたアンモニアを含む空気を脱硝処理に用いることを開示している。アンモニア態窒素を含む排水の処理方法として特許文献２は、排水にアルカリ剤（例えば水酸化ナトリウム）を加えてアンモニア態窒素をアンモニアに変換し、そののちストリッピングによってアンモニアガスとして回収し、回収したアンモニアガスを触媒上で空気と接触させて窒素ガスにまで酸化させる、あるいは脱硝工程に用いることを開示している。
【０００４】
本発明においては、イオン形であるか分子形であるかを区別する必要がない場合においては、「アンモニア」には、アンモニア分子（ＮＨ3）とアンモニウムイオン（ＮＨ4+）の両方が含まれる。したがって、「アンモニア含有排水」には、アンモニア分子の形態でアンモニアを含む排水だけでなく、アンモニウムイオンの形態でアンモニアを含む排水も含まれる。
【先行技術文献】
【特許文献】
【０００５】
【特許文献１】特開平８−２５２５６９号公報
【特許文献２】特開平９−７５９１５号公報
【発明の概要】
【発明が解決しようとする課題】
【０００６】
特許文献１，２に記載された方法では、プラント内から排出されたアンモニア含有排水をそのまま使用して気液接触あるいはストリッピングによりアンモニアガスを回収している。一般に、液中のアンモニア濃度が低いほど気液接触やストリッピングの効率が低下するから、装置が大規模となり、処理効率が低下する。また特許文献１，２に示すシステムは、アンモニアを回収した後の排水を、そのまま敷地外に放流するか既存の排水処理装置で処理してから放流しており、アンモニアを回収した後の排水を再利用する構成とはなっていない。
【０００７】
本発明の目的は、プラントにおいてアンモニア含有排水から効率よくアンモニアを回収できるとともに、アンモニアを回収した後の排水をそのプラント内で再利用することができる方法及び装置を提供することにある。
【課題を解決するための手段】
【０００８】
本発明のアンモニア回収方法は、プラント内で発生するアンモニア含有排水からアンモニアを回収する方法であって、アンモニア含有排水からアンモニア濃度を高めた濃縮水とアンモニア濃度が低減されてプラント内で利用可能な透過水とを生成する濃縮工程と、濃縮水からアンモニアを回収する回収工程と、を有する。
【０００９】
本発明のアンモニア回収装置は、プラント内で発生するアンモニア含有排水からアンモニアを回収するアンモニア回収装置であって、アンモニア含有排水からアンモニア濃度を高めた濃縮水とアンモニア濃度が低減されてプラント内で利用可能な透過水とを生成する濃縮手段と、濃縮水からアンモニアを回収する回収手段と、を有する。
【発明の効果】
【００１０】
本発明によれば、プラントにおいてアンモニア含有排水から効率よくアンモニアを回収できるとともに、アンモニアを回収した後の排水をそのプラント内で再利用することができ、プラントにおける用水の再利用率も向上する。
【図面の簡単な説明】
【００１１】
【図１】本発明の実施の一形態のアンモニア処理装置の構成を示すフローシートである。
【図２】プラントの構成の一例を示すフローシートである。
【図３】別の実施形態のアンモニア処理装置の構成を示すフローシートである。
【発明を実施するための形態】
【００１２】
次に、本発明の実施の形態について、図面を参照して説明する。図１は本発明の実施の一形態のアンモニア回収装置を示している。
【００１３】
本実施形態のアンモニア回収装置は、火力発電所に代表される各種のプラントにおいて発生するアンモニア含有排水からアンモニアを回収するものである。このアンモニア回収装置は、アンモニア含有排水からアンモニア濃度を高めた濃縮水とアンモニア濃度が低減されてプラント内で利用可能な透過水とを生成するアンモニア濃縮装置１１と、濃縮水からアンモニアを回収するアンモニア蒸留装置１２と、を備えている。アンモニア回収装置の処理対象となるアンモニア含有排水は、例えば、ボイラに接続してイオン交換樹脂などのイオン交換体を備える復水脱塩装置からの、イオン交換体の再生排水であったり、プラント内に設けられるアンモニアタンクを洗浄したときの洗浄排水やブロー排水であったりする。さらには、プラント内のボイラや配管の防錆のためにアンモニアを水に添加することが用いられているとして、ボイラからブローされた水、あるいはボイラの保管処理に用いられた水（ボイラ保管水）もアンモニア含有排水の範疇に含まれる。
【００１４】
アンモニア濃縮装置１１は、濃縮手段であって、例えば、逆浸透膜装置、電気透析装置あるいは電気式脱塩装置によって構成される。アンモニア濃縮装置１１が逆浸透膜装置である場合、水は逆浸透膜を透過するのに対し、アンモニアやその他の成分は逆浸透膜を透過しない。したがって逆浸透膜装置にアンモニア含有排水を供給すると、逆浸透膜装置の濃縮側出口から、アンモニア濃度が高められた水すなわち濃縮水が得られ、透過側出口からは、アンモニアや不純物成分が除去された透過水が得られることになる。また、電気透析装置や電気再生式脱塩装置では、一般に、イオン成分が濃縮された水とイオン成分が除去された水とが分離して排出される。アンモニア濃縮装置１１として電気透析装置や電気再生式脱塩装置を使用し、これらの装置にアンモニア含有排水を供給した場合には、アンモニアが濃縮された水とアンモニアをほとんど含まない水とが分離して得られることになるから、これらをそれぞれ濃縮水と透過水とする。
【００１５】
逆浸透膜装置、電気透析装置あるいは電気式脱塩装置は、いずれも水の精製にも一般的に使用されている装置であるから、これらの装置から得られる透過水は、プラント内で再利用可能な水質を有している。プラント内での利用のために工業用水が供給されていて、供給された工業用水はろ過の後にろ過水タンク１４に貯えられているとすれば、アンモニア濃縮装置１１からの透過水は、プラント内での再利用のために、ろ過水タンク１４に送ることができる。
【００１６】
アンモニア蒸留装置１２は、濃縮手段であって、例えば、膜蒸留装置あるいはストリッピング装置（放散塔ともいう）からなり、濃縮水から例えばアンモニアガスの形態でアンモニアを回収する。あるいはアンモニア蒸留装置１２は、膜蒸留装置あるいはストリッピング装置で発生したアンモニアガスを凝縮器で冷却した後に水に溶解させることにより、アンモニア水の形態でアンモニアを回収してもよい。このとき、濃縮水から気相側へのアンモニアの移行は濃縮水のｐＨが高いほど進行するから、アンモニアガスの回収を促進するために、濃縮水に対して必要に応じてアルカリ剤（例えば水酸化ナトリウム）が添加される。回収されたアンモニアは、プラント内で再利用することができる。プラントが発電プラントである場合には、回収されたアンモニアには、プラント内において、微粉炭などの主燃料とともにボイラで燃焼させる、選択接触還元法による排煙脱硝装置で使用する、硫酸ミストの除去のために電気集塵装置に注入する、精製した上でボイラと蒸気タービンとを循環する配管に対して防錆のために注入する、などの用途がある。
【００１７】
アンモニア蒸留装置１２においては濃縮水からアンモニアを回収したときには、アンモニアが回収された後の濃縮水が排水として排出される。この排水は、不純物、特に再生排水に由来する不揮発性のイオン性不純物を多く含んでおり、再利用に適さないものである。そこでアンモニア蒸留装置１２からの排水は、その不純物濃度等に応じ、そのまま敷地外に放流されるか、排水処理装置によって処理された後、放流される。
【００１８】
次に、本発明に基づくアンモニア回収装置を実際のプラントに適用した例を説明する。図２は、石炭火力発電所などの石炭を主燃料とするプラントの構成を示している。蒸気を発生するボイラ２１と、ボイラ２１で発生した蒸気によって駆動される蒸気タービン３０と、蒸気タービン３０を駆動した後の蒸気を水に戻す復水器３１と、復水器３１で復水された水の中のイオン成分を除去する復水脱塩装置４０とが設けられている。ボイラ２１には、送風機（不図示）などによって空気が供給されるともに、燃料として微粉炭が供給され、燃焼によって発生した排気は、ばい煙処理装置（不図示）を経て外部に排出される。ボイラ２１内には水が供給される水管３６が設けられており、ボイラ２１の燃焼熱により水管３６内で発生した蒸気は、蒸気配管３７を介して蒸気タービン３０に供給される。復水器３１からの復水は、復水配管３８を介して復水脱塩装置４０に供給される。復水配管３８には復水ポンプ３２が設けられている。復水脱塩装置４０は、その内部にイオン交換樹脂などのイオン交換体を備えており、復水の脱塩処理を行って脱塩水を生成する。脱塩水は、給水配管３９を介してボイラ２１の水管３６に供給される。給水配管３９には給水ポンプ３３が設けられている。
【００１９】
このプラントは、ボイラ２１と蒸気タービン３０と給水器３１とを介して水が循環するように構成されており、復水脱塩装置４０は、循環する水の中からイオン成分を除去することによってボイラ２１や蒸気タービン３０、さらにはポンプや配管などでの腐食の発生を防止するために設けられている。さらにこのプラントでは、腐食の発生を防ぐために、循環する水に対してアンモニアを添加することも行われている。添加されたアンモニアは復水脱塩装置４０のイオン交換体に捕捉されることになる。
【００２０】
復水脱塩装置４０内のイオン交換体に対しては定期的に再生処理を行う必要がある。再生処理によって再生排水が発生する。復水脱塩装置４０内のイオン交換体は、カチオン交換体及びアニオン交換体である。復水脱塩装置２０の再生方法によっては、カチオン交換体の再生排水とアニオン交換体の再生排水とが分離して排出されるものがある。カチオン交換体の再生には一般に硫酸または塩酸が使用されるから、カチオン交換体の再生排水には、アンモニアと各種のカチオン、それに硫酸イオンまたは塩化物イオンが含まれることになる。アニオン交換体の再生には一般に水酸化ナトリウムが使用されるから、アニオン交換体の再生排水にはアンモニアはほとんど含まれないが各種のアニオンと水酸化ナトリウムとが含まれ、そのｐＨは高くなっている。
【００２１】
図３は、本発明の別の実施形態のアンモニア回収装置の構成を示している。このアンモニア回収装置は、プラント内の復水脱塩装置などからカチオン交換体再生排水とアニオン交換体再生排水の両方が分離して得られる場合に適したものであり、図１に示すものと同様に、アンモニア濃縮装置１１とアンモニア蒸留装置１２とを備えている。再生排水のうちアンモニアを含んでいるカチオン交換体再生排水が、アンモニア含有排水として、アンモニア濃縮装置１１に供給され、アンモニア濃縮装置１１からは、アンモニア濃度が高められた濃縮水とアンモニアをほとんど含まない透過水とが排出する。透過水は、プラント内での再利用のためにろ過水タンク１４に送られる。
【００２２】
一方、アンモニアをほとんど含まないアニオン交換体再生排水は、水酸化ナトリウムを含んでいるので、アンモニアの膜蒸留やストリッピングを行う際に濃縮水から気相へのアンモニアの移行を促進するアルカリ剤として使用することができる。そこで本実施形態では、アニオン交換体再生排水をアルカリ剤としてアンモニア蒸留装置１２に供給する。アンモニア蒸留装置１２では、濃縮水から例えばアンモニアガスの形態でアンモニアが高い収率で回収される。回収されたアンモニアの用途は特に限定されないが、図２のボイラ２１の燃焼用ガスとしての用途や、さらに精製して腐食防止のために水に添加する用途として利用できる。また、触媒を介して大気に放出してもよい。アンモニア蒸留装置１２からの排水は、図１に示した場合と同様に、そのままであるいは排水処理装置で処理してから放流される。
【００２３】
ところで、アニオン交換体再生排水には硫酸イオンなどの腐食を促進する成分が含まれている可能性がある。そこで、図３に示す装置では、電気透析装置１３を設けてアニオン交換体再生排水からアルカリ成分を分離し、このアルカリ成分（主として水酸化ナトリウム）のみがアルカリ剤としてアンモニア蒸留装置１２に供給されるようにしている。電気透析装置１３においてアルカリ成分が分離された後のアニオン交換体再生排水は、アンモニア蒸留装置１２からの排水に合流して、そのままで、あるいは排水処理装置で処理してから放流される。電気透析装置１３を設けずにアニオン交換体再生排水をアルカリ剤としてアンモニア蒸留装置１２に直接供給してもよいが、膜蒸留装置あるいはストリッピング装置（放散塔）からなるアンモニア蒸留装置１２の腐食等を防ぐためには、電気透析装置１３を設けることが好ましい。
【００２４】
このように図３に示した構成では、アニオン交換体再生排水を有効利用することによって、アルカリ剤を別途用意してアンモニア蒸留装置１２に投入する必要がなくなる。
【００２５】
なお、復水脱塩装置などからの再生排水が、カチオン交換体再生排水とアニオン交換体再生排水とが混合した形態で得られる場合には、その再生排水は、アンモニア含有排水として、図１に示したアンモニア回収装置に供給されることになる。その場合、カチオン交換体再生排水とアニオン交換体再生排水とを混合した液の液性はアルカリ性であることが多いから、アンモニア蒸留装置１２へのアルカリ剤の投入量は少なくて済むこととなる。
【符号の説明】
【００２６】
１１    アンモニア濃縮装置
１２    アンモニア蒸留装置
１３    電気透析装置
１４    ろ過水
２１    ボイラ
３０    蒸気タービン
３１    復水器
３２    復水ポンプ
３３    給水ポンプ
４０    復水脱塩装置
【図１】
2019098205.tif 000003
【図２】
2019098205.tif 000004
【図３】
2019098205.tif 000005